(57)【要約】【課題】  尿と便とを適切に分離し、便収容容器の密閉性を高め、尿のみの使用にも適切に対応可能である、トイレを提供することを課題とする。【解決手段】  本発明は、便容器３０と尿容器２０とを有するトイレ１であって、便容器３０上方位置の便投入口１２を開閉すべく設けられた開閉蓋６０と、尿容器２０に尿を集積すべく設けられた尿集積部とを備え、尿集積部が、便投入口１２の外周縁部に設けられた尿誘導路１４と、尿誘導路１４と尿容器２０との間に設けられた集尿管１６とを用いて構成されていることを特徴としている。【選択図】  図１
2007151905.tif 000002
【特許請求の範囲】
【請求項１】
尿と便とを分離する尿便分離装置であって、
便投入口を開閉すべく設けられた開閉蓋と、
尿を集積すべく設けられた尿集積部と
を備えたことを特徴とする尿便分離装置。
【請求項２】
前記尿集積部が、前記便投入口の外周縁部に設けられた尿誘導路と、前記尿誘導路に連通する集尿管とを用いて構成されている
請求項１に記載の尿便分離装置。
【請求項３】
尿と便とを分離する尿便分離装置であって、
便投入口を開閉すべく設けられた開閉蓋と、
尿を集積すべく設けられた尿集積部とを備え、
前記尿集積部が、前記便投入口の外周縁部に設けられた尿誘導路と、前記尿誘導路に連通する集尿管とを用いて構成されており、
前記尿が排泄される場合には、前記開閉蓋にて前記便投入口を閉塞状態として、前記尿が前記尿集積部を介して尿収容部に収容され、
前記便が排泄される場合には、前記開閉蓋を移動させて前記便投入口を開放状態として、前記便が前記便投入口を介して便収容部に収容される
ことを特徴とする尿便分離装置。
【請求項４】
便容器と尿容器とを有するトイレであって、
前記便容器上方位置の便投入口を開閉すべく設けられた開閉蓋と、
前記尿容器に尿を集積すべく設けられた尿集積部と
を備えたことを特徴とするトイレ。
【請求項５】
前記尿集積部が、前記便投入口の外周縁部に設けられた尿誘導路と、前記尿誘導路と前記尿容器との間に設けられた集尿管とを用いて構成されている
請求項４に記載のトイレ。
【発明の詳細な説明】
【技術分野】
【０００１】
本発明は、尿便分離装置およびトイレに関するものである。
【背景技術】
【０００２】
従来から、介護等に用いるトイレとして、室内に設置可能なトイレが種々知られている。このように室内に設置可能に構成されたトイレとしては、例えば、投入された糞尿やトイレットペーパ等の有機廃棄物を微生物分解処理するために、分解処理部を備えたものが知られている。（特許文献１参照）
【０００３】
この従来技術にかかるトイレは、使用者が着座するための便座と、便座の開口部（用便口）から投入された有機廃棄物を微生物分解処理すべく設けられた分解処理部等とを用いて構成されている。分解処理部は、処理槽と、この処理槽内に設けられたおが屑と、おが屑および投入された有機廃棄物を攪拌する攪拌翼等とを用いて構成されている。
【０００４】
そして、以上のように構成されたトイレにおいては、攪拌翼を適宜回転駆動させることによって、おが屑と有機廃棄物との攪拌混合、および微生物の活性化とを効率的に行い、有機廃棄物を微生物分解処理している。
【０００５】
【特許文献１】特開２００１−１２０４６０号公報
【発明の開示】
【発明が解決しようとする課題】
【０００６】
しかしながら、従来技術にかかるトイレ（例示した特許文献１を含む種々のトイレ）には、次のような問題があった。
【０００７】
第一の問題は、上述したトイレは尿および便を一つの容器に収容する構成であるという点である。室内にトイレを設置する場合には、「臭い」を低減させることが重要となるが、尿と便とを同一の容器に収容する場合には、どうしても「臭い」を低減させることが困難となる。また、尿と便とを同一の容器に収容する場合には、洗浄処理等を適切に行うことが困難になるという問題も生じる。
【０００８】
第二の問題は、従来技術にかかるトイレにおいては、尿および便を収容する容器の密閉性が低いという点である。上記の通り、室内は勿論のこと、トイレを設置する場所がどこであっても、「臭い」を低減させることは重要である。それにもかかわらず、これまで知られている従来技術にかかるトイレは、容器の密閉性が低いという問題があった。
【０００９】
第三の問題は、従来技術にかかるトイレは、「尿のみ」に使用する場合に適切に対応していないという点である。従来のトイレは、通常、「尿のみ」に使用する場合でも、便を収容するための容器を開放した状態としなければならない。したがって、「臭い」の低減を図ることができない。
【００１０】
そこで、本発明は、上記従来技術の問題を解決するためになされたものであって、尿と便とを適切に分離し、便等の収容容器の密閉性を高め、尿のみの使用にも適切に対応可能である、尿便分離装置を提供することを課題とする。また、本発明は、上記従来技術の問題を解決するためになされたものであって、尿と便とを適切に分離し、便収容容器の密閉性を高め、尿のみの使用にも適切に対応可能である、トイレを提供することを課題とする。
【課題を解決するための手段】
【００１１】
本発明は、上記課題を解決するためになされたものであり、尿と便とを分離する尿便分離装置であって、便投入口を開閉すべく設けられた開閉蓋と、尿を集積すべく設けられた尿集積部とを備えたことを特徴としている。
【００１２】
また、本発明にかかる尿便分離装置においては、前記尿集積部が、前記便投入口の外周縁部に設けられた尿誘導路と、前記尿誘導路に連通する集尿管とを用いて構成されていることが好ましい。
【００１３】
さらに、本発明は、上記課題を解決するためになされたものであり、尿と便とを分離する尿便分離装置であって、便投入口を開閉すべく設けられた開閉蓋と、尿を集積すべく設けられた尿集積部とを備え、前記尿集積部が、前記便投入口の外周縁部に設けられた尿誘導路と、前記尿誘導路に連通する集尿管とを用いて構成されており、前記尿が排泄される場合には、前記開閉蓋にて前記便投入口を閉塞状態として、前記尿が前記尿集積部を介して尿収容部に収容され、前記便が排泄される場合には、前記開閉蓋を移動させて前記便投入口を開放状態として、前記便が前記便投入口を介して便収容部に収容される構成であることを特徴としている。
【００１４】
ここで、「尿収容部」とは、尿を収容するためにトイレ内部に設けられた尿容器のみを示すものではなく、トイレ外部に設けられた尿容器、トイレ外部に設けられた尿処理槽・尿処理装置、あるいはトイレ外部に設けられた処理槽等に導入するための尿専用配管等を含む概念である。また、「便収容部」とは、便を収容するためにトイレ内部に設けられた便容器のみを示すものではなく、トイレ外部に設けられた便容器、トイレ外部に設けられた便処理槽・便処理装置、あるいはトイレ外部に設けられた処理槽等に導入するための便専用配管等を含む概念である。
【００１５】
また、本発明は、上記課題を解決するためになされたものであり、便容器と尿容器とを有するトイレであって、前記便容器上方位置の便投入口を開閉すべく設けられた開閉蓋と、前記尿容器に尿を集積すべく設けられた尿集積部とを備えたことを特徴としている。
【００１６】
さらに、本発明にかかるトイレにおいては、前記尿集積部が、前記便投入口の外周縁部に設けられた尿誘導路と、前記尿誘導路と前記尿容器との間に設けられた集尿管とを用いて構成されていることが好ましい。
【発明の効果】
【００１７】
本発明によれば、尿と便とを適切に分離し、便等の収容容器の密閉性を高め、尿のみの使用にも適切に対応可能である、尿便分離装置を得ることができる。また、本発明によれば、尿と便とを適切に分離し、便収容容器の密閉性を高め、尿のみの使用にも適切に対応可能である、トイレを得ることができる。
【発明を実施するための最良の形態】
【００１８】
以下、図面に基づいて、本発明の実施形態を説明する。
【００１９】
図１は、本発明の実施形態にかかるトイレの概略断面模式図を示したものである。また、図２は、図１に示されたトイレの要部模式図を示したものであって、図３は、図２の上面図を示したものである。なお、これらの図１から図３においては、図面の煩雑化を避けるため、適宜構成を省略している（例えば、トイレ本体部に設けられた開閉蓋の開閉機構については省略している。これらの機構については後述する。）。
【００２０】
これらの図に示すように、本実施形態にかかるトイレ１は、外部ケーシング１０、この外部ケーシング１０内に設けられた尿容器２０および便容器３０、これらの尿容器２０および便容器３０の上方位置に設けられたトイレ本体部１１、トイレ本体部１１の上方位置に設けられた便座４０、および便座４０の上方位置に設けられた蓋部５０等を用いて構成されている。
【００２１】
本実施形態にかかるトイレ本体部１１の下方位置には、便投入口１２開口されている。この便投入口１２には、開閉蓋６０が設けられており、開閉蓋６０を駆動させることによって、便投入口１２が開閉可能に構成されている。
【００２２】
また、便投入口１２の外周縁部には、溝状に形成された尿誘導路１４が設けられている。この尿誘導路１４は、トイレ本体部１１の後方面１１ｂ側から前方面１１ａ側に対して流体（尿あるいは洗浄水等）が流れるように、所定角度θだけ傾いた状態に構成されている。ここで、「所定角度θ」としては、２°〜４５°程度であることが好ましく、より好ましいのは、３°〜１０°程度に設定することである。
【００２３】
この「所定角度θ」が、２°よりも小さい場合には、開閉蓋６０の上面に落ちた尿等の流体が尿誘導路１４に集まりにくい、あるいは集まるまでに時間がかかるという不具合が生ずる。また、この「所定角度θ」が、４５°よりも大きい場合には、洗浄処理（この洗浄処理については後述する。）を行う際に、洗浄水等の流体が早く流れすぎ十分な洗浄効果を得ることができないという不具合が生ずる。よって、本実施形態においては、上述したように、「所定角度θ」は、開閉蓋６０の上面に落ちた尿や洗浄水等の流体を効率よく尿誘導路１４に集めることができる、２°〜４５°程度であることが好ましい。
【００２４】
さらに、尿誘導路１４のトイレ本体部１１前方面１１ａ側に位置する最下点には、貫通孔部１５が設けられており、この貫通孔部１５には、集尿管１６の一方端部が設けられている。集尿管１６の他方端部は、尿容器２０に挿入されている。本実施形態においては、本発明にかかる「尿集積部」が、尿誘導路１４および集尿管１６を用いて構成されている。
【００２５】
便投入口１２を開閉すべく設けられた開閉蓋６０も、その上面６０ａ（開閉蓋上面６０ａ）が尿誘導路１４と同様に、所定角度θだけ傾いた状態に構成されている。そして、図１および図３等に示すように、尿誘導路１４の内周縁部１４ａと開閉蓋上面６０ａとは、面一状態となるように構成されている。
【００２６】
本実施形態においては、本発明にかかる「尿便分離装置」が、便投入口１２を開閉すべく設けられた開閉蓋６０と、尿を集積すべく設けられた尿集積部（尿誘導路１４および集尿管１６）とを用いて構成されている。
【００２７】
外部ケーシング１０内に設けられた尿容器２０は、集尿管１６を挿入する部分さえ設ければ、どのような構成を採用することも可能であり、例えば、密閉型の容器にて構成されている。ただし、この尿容器２０の構成は、密閉型に限定されず、必要に応じて開放型でもよい。また、本実施形態にかかる尿容器２０は、尿等の収容状態に応じて、適宜外部ケーシング１０内から着脱可能に構成されている。
【００２８】
外部ケーシング１０内に設けられた便容器３０は、上方面が開放状態に構成されている。そして、図１等においては、その記載を省略しているが、便容器３０中には、便投入口１２から投入された便等の有機廃棄物を微生物分解処理するために、多孔質材（おが屑）が設けられている。本実施形態にかかる便容器３０も、尿容器２０と同様に、適宜外部ケーシング１０内から着脱可能に構成されている。
【００２９】
本実施形態においては、例えば、外部ケーシング１０の側面に開閉可能な扉部（図示省略）を設け、この扉部を介して、尿容器２０および便容器３０を外部ケーシング１０の外側に取り出し可能に構成されている。
【００３０】
便座４０は、トイレ本体部１１の上方位置に設けられ、外部ケーシング１０とヒンジ結合（図示省略）されているため、必要に応じて開閉可能である。また、この便座４０には、便尿を投入可能な開口部４１が設けられている。そして、使用者が、この便座４０に着座した状態で排泄行為等を行う場合には、尿は、開口部４１および尿集積部（尿誘導路１４および集尿管１６）を経て尿容器２０に導かれ、便は、開口部４１および便投入口１２を経て便容器３０に導かれる。なお、この便座４０は、電気ヒータあるいは温水等を用いた「暖房便座」としてもよい。さらに、この便座４０の近傍には、温水洗浄装置を設けてもよい。
【００３１】
蓋部５０は、便座４０の上方位置に設けられ、便座４０とヒンジ結合（図示省略）されているため、必要に応じて開閉可能である。
【００３２】
次に、図４および図５を用いて、開閉蓋６０の開閉機構について説明する。ここで、図４は、図１等に示されたトイレに開閉蓋の開閉機構を加えた状態の要部模式図を示したものである。また、図５は、図４の上面図を示したものである。
【００３３】
これらの図４および図５に示すように、本実施形態にかかるトイレ１は、トイレ本体部１１の下方位置に設けられた便投入口１２を開閉させる開閉蓋６０が、駆動モータ６１を用いて開閉可能に構成されている。
【００３４】
より具体的には、開閉蓋６０の近傍に駆動モータ６１が設けられており、この駆動モータ６１は、外部ケーシング１０の上方位置に設けられた駆動スイッチ６２と電気配線６３を介して電気的に接続されている。駆動モータ６１の回転軸（モータ側回転軸）６１Ａには、第一歯車６４が設けられており、開閉蓋６０の支持部６０ｂを回転可能に支持している蓋側回転軸６６には、第二歯車６５が設けられており、この第一歯車６４と第二歯車６５とが適切に噛み合っている。
【００３５】
つまり、本実施形態においては、駆動スイッチ６２のボタン部６２Ａを押圧することによって、駆動スイッチ６２からの電気信号が電気配線６３を介して駆動モータ６１に伝達される。そして、この駆動モータ６１の回転駆動力が、モータ側回転軸６１Ａ、第一歯車６４、第二歯車６５、および蓋側回転軸６６を介して、開閉蓋６０（の支持部６０ｂ）に伝えられて、適宜開閉蓋６０が開閉駆動する。
【００３６】
なお、本実施形態においては、ボタン部６２Ａを押す度に駆動モータ６１の回転方向が反転するように構成されている。また、駆動モータ６１に予め定められた値以上の負荷が作用した場合（例えば、開閉蓋６０が閉止状態となった場合、あるいは開閉蓋６０が開放状態となって開閉蓋６０の開放限界に達した場合）には、駆動モータ６１が停止するように構成されている。
【００３７】
また、上記実施形態にかかるトイレ１においては、仮に、便投入口１２を閉止状態に維持している開閉蓋６０に便等が堆積した場合であっても、開閉蓋６０の開閉機構等に不具合が生じないように（具体的には、各歯車６４，６５および駆動モータ６１等に不具合が生じないように）、閉止状態にある開閉蓋６０（に設けられているセンサ（図示省略））が所定値以上の重さを検知した場合には、自動的に駆動モータ６０を駆動させて、開閉蓋６０を開放状態とするように構成されている。
【００３８】
本実施形態にかかるトイレ１は、以上のように構成されており、上述した構成に基づいて、次のような態様で使用される。
【００３９】
まずは、本実施形態にかかるトイレ１を「尿のみ」（尿排泄のみ）に使用する場合について説明する。
【００４０】
本実施形態にかかるトイレ１を「尿のみ」に使用する場合には、男性および女性のいずれが使用する場合でも、トイレ本体部１１の下方位置の便投入口１２については、開閉蓋６０を用いて閉塞状態とする（図２等参照）。そして、女性であれば、図２等に示す便座４０に着座した状態で、男性であれば、図２等に示す便座４０を上方に持ち上げた状態でトイレ１を使用することとなる。本実施形態にかかるトイレ１は、このどちらの使用態様にも適切に対応可能である。
【００４１】
男性および女性のいずれが使用する場合でも、尿は、トイレ本体部１１の前方面１１ａ、後方面１１ｂ、あるいは開閉蓋上面６０ａおよびその近傍に接触することとなる。そして、トイレ本体部１１の前方面１１ａに接触した尿は、前方面１１ａから尿誘導路１４の方向（図２の矢印Ｘ１方向、図３の矢印Ｙ１方向）へ流下する。また、トイレ本体部１１の後方面１１ｂに接触した尿は、後方面１１ｂから尿誘導路１４の方向（図２の矢印Ｘ２方向、図３の矢印Ｙ２方向）へ流下する。さらに、開閉蓋上面６０ａに接触した尿は、開閉蓋上面６０ａが尿誘導路１４と同様に傾斜した構成を有するため、尿誘導路１４の最下点側（貫通孔部１５が設けられた位置、図２の矢印Ｘ３方向、図３の矢印Ｙ３方向）へ流下する。
【００４２】
つまり、本実施形態にかかるトイレ１においては、尿がどのような箇所に接触した場合であっても、その構成上、全ての尿は尿誘導路１４に導かれることとなる。そして、尿誘導路１４は、先にも説明したように、トイレ本体部１１の後方面１１ｂ側から前方面１１ａ側に対して所定角度θだけ傾いた状態に構成されているため、尿誘導路１４に集められた尿は、その傾きに沿って（後方面１１ｂ側から前方面１１側に（すなわち、図３の矢印Ｙ４方向から矢印Ｙ５方向に））、尿誘導路１４の最下点に設けられた貫通孔部１５に導かれることとなる。
【００４３】
貫通孔部１５には、尿容器２０に連通する集尿管１６が設けられているため、トイレ本体部１１に投入された尿は、尿誘導路１４、貫通孔部１５、および集尿管１６を介して、尿容器２０に収容されることとなる。
【００４４】
次に、本実施形態にかかるトイレ１を主に便排泄に使用する場合について説明する。
【００４５】
本実施形態にかかるトイレ１を便排泄に使用する場合には、男性および女性のいずれが使用する場合でも、図２等に示す便座４０に着座した状態で、トイレ１を使用することとなる。そして、便座４０に着座する前あるいは着座した後に（便を排泄する前に）、便投入口１２を閉塞している開閉蓋６０を開放状態とするために、駆動スイッチ６２のボタン部６２Ａを押圧する。
【００４６】
ボタン部６２Ａが押圧されることによって、駆動スイッチ６２からの電気信号が電気配線６３を介して駆動モータ６１に伝達され、駆動モータ６１の回転駆動力が、モータ側回転軸６１Ａ、第一歯車６４、第二歯車６５、および蓋側回転軸６６を介して、開閉蓋６０（の支持部６０ｂ）に伝えられ、閉塞状態にある開閉蓋６０（図４の実線部参照）が駆動を開始して、便投入口１２を開放状態とする位置まで開閉蓋６０が開放される（図４の仮想線（二点鎖線）部参照）。
【００４７】
開閉蓋６０を駆動させて、トイレ本体部１１の下方に位置する便投入口１２を開放状態とした後に、使用者が便を排泄すると、便は、便座４０の開口部４１および便投入口１２を経て、便容器３０内に収容されることとなる。
【００４８】
また、本実施形態にかかるトイレ１においては、使用者が便座４０に着座した状態で尿を排泄した場合でも、その尿がトイレ本体部１１の内面側に接触した後には、トイレ本体部１１内面側を流下した後に尿誘導路１４に導かれる。つまり、開閉蓋６０を開放した状態であっても、大半の尿は、トイレ本体部１１内面に接触するため、その後、尿誘導路１４を介して、尿容器２０に収容されることとなる。
【００４９】
本実施形態にかかるトイレ１は、以上のように構成され、使用されるため、その構成等に基づいて、次のような作用効果を有する。
【００５０】
まず、本実施形態にかかるトイレ１は、尿と便とをそれぞれ別々の容器（尿容器２０、便容器３０）に収容可能に構成されているため、アンモニアの発生が抑制され、「臭い（悪臭）」を発生させる可能性を低減することができる。
【００５１】
また、本実施形態にかかるトイレ１には、トイレ本体部１１の下方位置に設けられた便投入口１２を開閉すべく、開閉蓋６０が設けられている。つまり、未使用時あるいは尿のみにトイレを使用する場合には、本実施形態にかかるトイレ１の便投入口１２は開閉蓋６０にて密閉された状態となる。
【００５２】
したがって、本実施形態によれば、外部ケーシング１０の内部空間（尿容器２０および便容器３０が設けられた空間）と、トイレ本体部１１の上方空間との間の空気の対流を無くすことができるため、尿容器２０および便容器３０内から発する「臭い」を効果的に低減することができる。また、このように外部ケーシング１０の内部空間と外部空間との間における空気の対流を無くすことにより、衛生的にも高い効果を得ることができる。
【００５３】
さらに、本実施形態にかかるトイレ１においては、尿のみの使用をする場合に優れた効果を発揮する。具体的には、上述した使用方法によれば、外部ケーシング１０の内部空間と外部空間との密閉性を保ちつつ、適切に尿のみの使用に対応することができる。
【００５４】
本実施形態にかかるトイレ１を尿のみに用いる場合、女性であれば、図２等に示す便座４０に着座した状態で使用し、男性であれば、図２等に示す便座４０を上方に持ち上げた状態で使用する。本実施形態にかかるトイレ１は、このどちらの使用態様にも適切に対応可能である。
【００５５】
女性が尿のみに使用する場合、尿は、便座４０の開口部４１を介してトイレ本体部１１の前方面１１ａ、後方面１１ｂ、あるいは開口部４１直下の開閉蓋上面６０ａおよびその近傍に接触した後に、尿誘導路１４を介して、尿容器２０に収容される。男性が尿のみに使用する場合（便座４０を上方に持ち上げて、直立した状態で尿の排泄を行う場合）、大半の尿は、トイレ本体部１１の後方面１１ｂに接触した後に流下し、その後尿誘導路１４を介して、尿容器２０に収容される。
【００５６】
つまり、本実施形態にかかるトイレ１によれば、女性が使用する場合でも男性が使用する場合でも、トイレ１を「尿のみ」の排泄に使用する場合には、トイレ本体部１１の下方位置に設けられている便投入口１２を開閉蓋６０にて閉塞状態に維持したまま、尿集積部（尿誘導路１４および集尿管１６）を介して、尿を尿容器２０に収容することができる。
【００５７】
しかも、本実施形態にかかるトイレ１においては、トイレ本体部１１内面の傾きは、どの箇所も便投入口１２の外周縁部に設けられた尿誘導路１４に向かって傾いている。トイレ本体部１１の前方面１１ａに接触した尿は矢印Ｙ１方向（図３参照）に流下し、トイレ本体部１１の後方面１１ｂに接触した尿は矢印Ｙ２方向（図３参照）に流下し、トイレ本体部１１の側方面（左右面）１１ｃに接触した尿は矢印Ｙ６方向（図３参照）に流下して、尿は尿誘導路１４に集められる。つまり、本実施形態によれば、トイレ本体部１１のどの箇所に尿が排泄されたとしても、尿集積部（尿誘導路１４および集尿管１６）を介して、適切に尿を尿容器２０に収容することができる。
【００５８】
本実施形態にかかるトイレ１は、このように尿を適切に収容可能であるため、便容器３０中への尿の混入を効果的に防止して、アンモニアの発生を抑制し、「臭い」を低減させることが可能となる。
【００５９】
また、このような構成に基づき、本実施形態にかかるトイレ１は、尿の回収割合が高いため、コンポストトイレやおまる式のトイレとして利用しやすい。適切に尿を分離回収可能であるため、「臭い」の発生を抑制可能だからである。
【００６０】
さらに、本実施形態にかかるトイレ１は、資源循環事業やその他の理由から、より確実性の高い尿便分離を求める使用者にとって、利用価値が高く、容易に実用可能なトイレとして提供することができる。
【００６１】
また、本実施形態にかかるトイレ１によれば、使用者が便座４０に着座した状態で尿を排泄した場合でも、その尿がトイレ本体部１１の内面１１ａ，１１ｂ，１１ｃに接触した後には、トイレ本体部１１内面１１ａ，１１ｂ，１１ｃを流下した後に尿誘導路１４に導かれる。つまり、開閉蓋６０を開放した状態であっても、大半の尿は、トイレ本体部１１内面１１ａ，１１ｂ，１１ｃ（特に前方面１１ａ）に接触するため、その後、尿誘導路１４を介して、尿容器２０に収容されることとなる。
【００６２】
したがって、本実施形態にかかるトイレ１によれば、便排泄時に尿を排泄した場合であっても、適切に尿と便とを分離して収容することができる。よって、上述した「臭い」の低減等の種々の効果を得ることができる。
【００６３】
また、上述した構成に基づき、尿を便容器３０に混入させることなく、適切に尿容器２０に収容可能であるため、本実施形態にかかるトイレ１によれば、便容器３０を小さく構成することができる。トイレは、基本的に尿のみの使用頻度が高いため、尿も便と同様の容器に収容するような構成（従来技術はこのような構成のものが殆どである）であれば、便容器３０を大きく構成し、また便容器３０内部の洗浄処理および有機廃棄物の廃棄等を頻繁に行う必要がある。しかし、本実施形態によれば、尿便分離装置によって、上述したように尿および便を分離収容可能であるため、便容器３０の洗浄処理等の頻度を低減させ、便容器３０も小さく構成することができる。このことから、本実施形態によれば、トイレ１全体の大きさも小さくすることができる。
【００６４】
さらに、本実施形態にかかるトイレ１においては、尿便分離装置（尿集積部（尿誘導路１４、集尿管１６）および開閉蓋６０）を利用することによって、トイレ本体部１１を効率的に洗浄することができる。したがって、トイレ１を常に衛生的に保つことが可能となる。
【００６５】
具体的には、トイレ１を尿のみに使用する場合のように、トイレ本体部１１の便投入口１２を開閉蓋６０にて閉塞状態とし、この状態で適宜洗剤や洗浄水等を用いて、トイレ本体部１１内面１１ａ，１１ｂ，１１ｃ、開閉蓋上面６０ａ、および尿誘導路１４等の洗浄処理を行う。このような状態で洗浄処理を行えば、洗剤や洗浄水等の流体は、尿の場合と同様に、トイレ本体部１１内面（前方面１１ａ，後方面１１ｂ，左右面１１ｃ）および開閉蓋上面６０ａから尿誘導路１４に流下し、この尿誘導路１４に集められた流体は、貫通孔部１５および集尿管１６を介して、尿容器１６に導かれる。
【００６６】
つまり、本実施形態にかかるトイレ１によれば、便容器３０を有する外部ケーシング１０の内部空間を密閉した状態で洗浄処理が可能であるため、臭いを気にすることなく、衛生的に洗浄処理を実施することができる。また、尿便分離装置を用いることによって、便容器３０側に洗浄処理水等を混入させることなく、全ての洗浄処理水等を尿容器２０側に集めることができるため、便容器３０の着脱を行うことなく、尿容器２０の着脱のみで、トイレ本体部１１の洗浄処理を行うことができる。この際、例えば、集尿管１６を尿容器２０ではなく、洗浄用のタンク、あるいはトイレ１外部の廃棄箇所に挿入すれば、より容易に洗浄処理を行うこともできる。
【００６７】
また、本実施形態にかかるトイレ１を構成する尿便分離装置は、上述したような種々の優れた効果を発揮し得る上に、非常に簡単且つコンパクトな構成を有する。したがって、従来から知られている尿便分離タイプのトイレと比較して、装置全体の大きさを大幅に小型化することができる。
【００６８】
なお、本発明は、上記実施形態に限定されるものではなく、本発明の趣旨に適合し得る範囲で必要に応じて種々の変更を加えて実施することも可能であり、それらはいずれも本発明の技術的範囲に含まれる。
【００６９】
上記実施形態においては、便等の有機廃棄物を微生物分解処理するために、おが屑（多孔質材）を用いる場合について説明したが、本発明はこの構成に限定されず、例えば、わら、籾殻、椰子殻等の植物系材料や、活性炭、ゼオライト等の無機材料等を用いることも可能である。また、必要に応じて、便容器３０中には、おが屑等の多孔質材を設けない構成としてもよい。
【００７０】
さらに、上記実施形態においては、本発明にかかる「尿便分離装置」を、トイレ１内部に尿容器２０と便容器３０とを有する、いわゆる室内等に設置可能な「移動式トイレ」に適用する場合について説明したが、本発明はこの構成に限定されない。本発明にかかる「尿便分離装置」は、尿と便とを分離することがその目的であり、尿と便とを分離した後の収容方法（装置）あるいは処理方法（装置）等は、どのような構成であってもよい。したがって、例えば、尿や便等の排泄物をトイレ外部に貯留したり、あるいはトイレ外部の浄化槽で処理したりするような構成のトイレについて、本発明にかかる「尿便分離装置」を適用することも可能である。
【００７１】
また、上記実施形態においては、尿誘導路１４の最下点に一つの貫通孔部１５を設けて、この貫通孔部１５に集尿管１６を連通させる構成について説明したが、本発明は、この構成に限定されない。そこで、例えば、尿誘導路１４に複数の貫通孔部を設け、各貫通孔部にそれぞれ集尿管を連通させ、それらの集尿管を一つの集尿管に収束させた状態で尿容器に挿入するような構成としてもよい。あるいは、複数の集尿管をそれぞれ尿容器に挿入するような構成としてもよい。つまり、本発明においては、尿誘導路１４中に一つの貫通孔部１５を設ける構成に限定されず、必要に応じて、複数の貫通孔部を有する構成としてもよい。さらに、貫通孔部１５の構成を漏斗のような構成としてもよい。
【００７２】
さらに、上記実施形態においては、「尿集積部」が、尿誘導路１４および集尿管１６を用いて構成される場合について説明したが、本発明は、この構成に限定されるものではない。例えば、尿誘導路に設けられた貫通孔部から尿が直接的に尿容器に収容可能であれば、尿誘導路のみによって「尿集積部」を構成することもできる。
【００７３】
また、上記実施形態においては、便投入口１２を閉止状態に維持している開閉蓋６０に便等が堆積した場合であっても、開閉蓋６０の開閉機構等に不具合が生じないように、閉止状態にある開閉蓋６０が所定値以上の重さを検知した場合には、自動的に駆動モータ６０を駆動させて、開閉蓋６０を開放状態とするような構成である場合について説明したが、本発明は、この構成に限定されず、所定以上の堆積物があった場合に開閉蓋６０が開放状態となる機構であれば、どのような構成でも採用可能である。したがって、例えば、開閉蓋６０が閉塞状態にある場合には、第一歯車６４と第二歯車６５とが噛み合わないような構成とし（つまり、駆動スイッチ６２の信号に基づいて第一歯車６４と第二歯車６５とが噛み合うような構成とし）、開閉蓋６０上に堆積物があった場合には、自然に開閉蓋６０が開放状態となるような機構としてもよい。
【００７４】
さらに、上記実施形態においては、駆動モータ６０や歯車６４，６５等を用いて開閉蓋６０を開閉駆動させる構成について説明したが、本発明はこの構成に限定されず、使用者の意思に基づいて、開閉蓋６０を開閉可能であれば、その構成は特に限定されない。したがって、本実施形態とは異なる電気式の機構であっても、スプリングやロッド等を組み合わせた機械式の機構であっても、油圧式の機構であっても、あるいはその他の如何なる構成であっても採用可能である。
【００７５】
また、上記実施形態においては、開閉動作が、開閉蓋６０の上下移動を基本とした構成について説明したが、本発明はこの構成に限定されず、例えば、スライド式等の横移動の開閉機構を採用してもよい。
【００７６】
さらに、上記実施形態においては、駆動スイッチ６２を使用者が着座した際の背面側に設けた構成について説明したが、本発明はこの構成に限定されず、駆動スイッチ６２の位置は、適宜変更可能である。この駆動スイッチ６２の位置は、必要に応じて、使用者が使いやすい位置に設ければよい。
【００７７】
また、上記実施形態においては、本発明にかかる尿便分離機構を洋式型トイレに適用した場合について説明したが、本発明はこの構成に限定されず、当然のことながら、和式型トイレに適用することも可能である。つまり、和式型トイレであっても、トイレ本体部の下方位置に便投入口を有するため、そこに本実施形態にかかる尿便分離装置（尿集積部（尿誘導路１４、集尿管１６）および開閉蓋６０）を適用すれば、上記実施形態にて説明した種々の効果を全て得ることができる。
【産業上の利用可能性】
【００７８】
本発明によれば、尿と便とを適切に分離し、便等の収容容器の密閉性を高め、尿のみの使用にも適切に対応可能である、尿便分離装置を得ることができる。また、本発明によれば、尿と便とを適切に分離し、便収容容器の密閉性を高め、尿のみの使用にも適切に対応可能である、トイレを得ることができる。
【００７９】
このような効果を有する本発明にかかる尿便分離装置およびトイレは、非常に簡単且つコンパクトな構成を有している。したがって、本発明によれば、これまで小型化が困難だった尿便分離式のトイレ、コンポストトイレ等の分野での市場拡大を望むことができる。
【００８０】
また、小型・高性能トイレへの需要が大きいキャンピングカーやトレイラーハウスに利用可能なトイレ（レジャー部門）、ベッドサイド（室内）で利用可能なトイレ（福祉部門）として活用することができる。特に、北米等においては、キャンピングカー用トイレ、キットハウス用トイレ、コテージ用トイレ、別荘用トイレとしての需要も見込まれる。
【図面の簡単な説明】
【００８１】
【図１】本発明の実施形態にかかるトイレの概略断面模式図を示したものである。
【図２】図１に示されたトイレの要部模式図を示したものである。
【図３】図２の上面図を示したものである。
【図４】図１等に示されたトイレに開閉蓋の開閉機構を加えた状態の要部模式図を示したものである。
【図５】図４の上面図を示したものである。
【符号の説明】
【００８２】
１…トイレ
１０…外部ケーシング
１１…トイレ本体部
１１ａ…トイレ本体部前方面
１１ｂ…トイレ本体部後方面
１１ｃ…トイレ本体部側方面（トイレ本体部左右面）
１２…便投入口
１４…尿誘導路
１４ａ…尿誘導路内周縁部
１５…貫通孔部
１６…集尿管
２０…尿容器
３０…便容器
４０…便座
４１…開口部
５０…蓋部
６０…開閉蓋
６０ａ…開閉蓋上面
６０ｂ…支持部
６１…駆動モータ
６１Ａ…モータ側回転軸
６２…駆動スイッチ
６２Ａ…ボタン部
６３…電気配線
６４…第一歯車
６５…第二歯車
６６…蓋側回転軸
【図１】
2007151905.tif 000003
【図２】
2007151905.tif 000004
【図３】
2007151905.tif 000005
【図４】
2007151905.tif 000006
【図５】
2007151905.tif 000007